(57)【要約】【課題】野地板の腐食を防止するとともに、屋内側の空間の温度上昇を抑制することができる通気用瓦、水切り付き通気用瓦および屋根構造を提供する。【解決手段】断面形状が山と谷を一つずつ有する波型になるよう湾曲して形成されている。山および谷の連続する方向が傾斜方向と平行になるよう傾斜する野地板１の上に設けられ、下面と野地板１との間に野地板１の傾斜方向に沿って通気路１５を形成している。棟木の延びる方向および垂木の延びる方向に連続して複数設けられている。通気路１５を野地板１の傾斜方向で連通させて野地板１を覆うよう野地板１の上に設けられている。【選択図】図１
2005232717.tif 000002
【特許請求の範囲】
【請求項１】
傾斜する野地板の上に設けられ、下面と前記野地板との間に前記野地板の傾斜方向に沿って通気路を形成するよう湾曲していることを、特徴とする通気用瓦。
【請求項２】
傾斜する野地板の上に設けられ、下面と前記野地板との間に前記野地板の傾斜方向に沿って通気路を形成するよう湾曲した瓦本体と、
前記瓦本体の上縁に沿って上側に立ち上がるよう設けられた水切部とを、
有することを特徴とする水切り付き通気用瓦。
【請求項３】
前記水切部は上縁部が瓦本体側に折り返していることを、
特徴とする請求項２記載の水切り付き通気用瓦。
【請求項４】
棟木を中心としてその両側に傾斜する野地板の上に設けられ、前記棟木の両側で下面と前記野地板との間に前記野地板の傾斜方向に沿って通気路を形成するよう湾曲した１対の瓦本体と、
上部に通気孔を有し、各瓦本体の上縁に沿って上側に立ち上がるよう設けられて各瓦本体を連結する水切部とを、
有することを特徴とする水切り付き通気用瓦。
【請求項５】
垂木の上に棟木まで傾斜させて野地板を張って成る屋根構造であって、
請求項１記載の通気用瓦、請求項２，３または４記載の水切り付き通気用瓦および棟瓦をそれぞれ複数有し、
前記野地板に棟木付近で屋内側と屋外側とを連通させる通気口を有し、
各通気用瓦はそれぞれ前記棟木の延びる方向および前記垂木の延びる方向に連続し、前記通気路を前記野地板の傾斜方向で連通させて前記野地板を覆うよう前記野地板の上に設けられ、
各水切り付き通気用瓦はそれぞれ前記棟木の延びる方向に連続し、各通気用瓦のうち最も上側の通気用瓦に連続して設けられ、
各棟瓦はそれぞれ前記棟木の延びる方向に連続し、前記通気口および各水切り付き通気用瓦の水切部を覆って各水切り付き通気用瓦の上面との間に前記通気口から連通する通気経路を形成するよう各水切り付き通気用瓦の上に設けられていることを、
特徴とする屋根構造。
【発明の詳細な説明】
【技術分野】
【０００１】
本発明は、通気用瓦、水切り付き通気用瓦および屋根構造に関する。
【背景技術】
【０００２】
屋根瓦は、耐久性、耐水性、軽量性などの機能性、外観のイメージ、コストなどにより様々な種類のものが製作されている。このような瓦として、例えば、敷設状態において重厚な外観を形成し、軽量で、雨水の水切りを確実にした波状瓦板がある（特許文献１参照）。
【０００３】
【特許文献１】特開平１０−２０５０６９
【発明の開示】
【発明が解決しようとする課題】
【０００４】
しかしながら、従来の瓦は、瓦の下面と野地板との間の空間の通気性に配慮がなされておらず、空気の進入路および排出路が充分確保されていない。このため、瓦の下面と野地板との間の空間の換気状態が悪く、湿気が溜まって野地板が腐食しやすいという課題があった。特に、北側の屋根面などでは、昼間の温度上昇に従って絶対湿度も上昇するが、日射が当らず通気もない瓦の下面空間の温度は冷えたままとなるため、相対湿度が高くなり結露現象が発生する事が多い。この結露現象は、瓦の下面や野地板面で発生し、定期的かつ長期的に発生し続けるため、屋根の野地板を劣化させる。このような屋根の野地板の劣化は、住宅の寿命に関わる重大なものである。
【０００５】
また、瓦の下面と野地板との間の空間は、換気状態が悪いため、日射により温度が上昇しやすい。これに伴い、野地板も温度上昇し、屋内側の空間の温度が上昇するという課題があった。特に、夏場の日射により瓦が熱される条件下で瓦の下側の通気がない場合、瓦の下側空間の温度上昇も激しくなる。これにより、野地板がより高く熱され、屋内側の空間の温度上昇も激しくなる。
【０００６】
本発明は、このような従来の課題に着目してなされたもので、野地板の腐食を防止するとともに、屋内側の空間の温度上昇を抑制することができる通気用瓦、水切り付き通気用瓦および屋根構造を提供することを目的としている。
【課題を解決するための手段】
【０００７】
上記目的を達成するために、本発明に係る通気用瓦は、傾斜する野地板の上に設けられ、下面と前記野地板との間に前記野地板の傾斜方向に沿って通気路を形成するよう湾曲していることを、特徴とする。
【０００８】
本発明に係る通気用瓦は、下面と野地板との間に野地板の傾斜方向に沿って通気路を形成するよう湾曲しているため、下面と野地板との間の空間の通気性が良い。このため、結露や高湿などによる野地板の腐食を防止することができる。また、日射により下面と野地板との間の空気が暖められると、その空気が通気路を傾斜方向に沿って上昇する。このため、空気が流通して下面と野地板との間の空間の温度上昇を抑制し、野地板の屋内側の空間の温度上昇を抑制することができる。
【０００９】
第１の本発明に係る水切り付き通気用瓦は、傾斜する野地板の上に設けられ、下面と前記野地板との間に前記野地板の傾斜方向に沿って通気路を形成するよう湾曲した瓦本体と、前記瓦本体の上縁に沿って上側に立ち上がるよう設けられた水切部とを、有することを特徴とする。
【００１０】
第１の本発明に係る水切り付き通気用瓦は、下面と野地板との間に野地板の傾斜方向に沿って通気路を形成するよう瓦本体が湾曲しているため、瓦本体の下面と野地板との間の空間の通気性が良い。このため、結露や高湿などによる野地板の腐食を防止することができる。また、日射により瓦本体の下面と野地板との間の空気が暖められると、その空気が通気路を傾斜方向に沿って上昇する。このため、空気が流通して瓦本体の下面と野地板との間の空間の温度上昇を抑制し、野地板の屋内側の空間の温度上昇を抑制することができる。水切部が瓦本体の上縁に沿って上側に立ち上がるよう設けられているため、台風などのときに、瓦本体に沿って上側に吹き込む雨水を水切部で遮ることができる。
【００１１】
第１の本発明に係る水切り付き通気用瓦では、前記水切部は上縁部が瓦本体側に折り返していることが好ましい。この場合、水切部を伝って上昇する雨水などを瓦本体側に折り返した上縁部により遮ることができる。また、ネズミなどの小動物が瓦本体側から水切部を乗り越えて屋内に侵入することを防ぐこともできる。
【００１２】
第２の本発明に係る水切り付き通気用瓦は、棟木を中心としてその両側に傾斜する野地板の上に設けられ、前記棟木の両側で下面と前記野地板との間に前記野地板の傾斜方向に沿って通気路を形成するよう湾曲した１対の瓦本体と、上部に通気孔を有し、各瓦本体の上縁に沿って上側に立ち上がるよう設けられて各瓦本体を連結する水切部とを、有することを特徴とする。
【００１３】
第２の本発明に係る水切り付き通気用瓦は、下面と野地板との間に野地板の傾斜方向に沿って通気路を形成するよう各瓦本体が湾曲しているため、各瓦本体の下面と野地板との間の空間の通気性が良い。このため、結露や高湿などによる野地板の腐食を防止することができる。また、日射により各瓦本体の下面と野地板との間の空気が暖められると、その空気が通気路を傾斜方向に沿って上昇し、さらに水切部の上部の通気孔を通って上昇する。このため、空気が流通して各瓦本体の下面と野地板との間の空間の温度上昇を抑制し、野地板の屋内側の空間の温度上昇を抑制することができる。
【００１４】
第２の本発明に係る水切り付き通気用瓦は、水切部が各瓦本体の上縁に沿って上側に立ち上がるよう設けられているため、台風などのときに、瓦本体を伝って上方へ逆流する雨水などを水切部で遮ることができる。このため、棟木に雨水などがかかるのを防止することができる。また、水切部が１対の瓦本体を連結しているため、棟木を中心としてその両側に容易に設置することができる。
【００１５】
本発明に係る屋根構造は、垂木の上に棟木まで傾斜させて野地板を張って成る屋根構造であって、本発明に係る通気用瓦、第１または第２の本発明に係る水切り付き通気用瓦および棟瓦をそれぞれ複数有し、前記野地板に棟木付近で屋内側と屋外側とを連通させる通気口を有し、各通気用瓦はそれぞれ前記棟木の延びる方向および前記垂木の延びる方向に連続し、前記通気路を前記野地板の傾斜方向で連通させて前記野地板を覆うよう前記野地板の上に設けられ、各水切り付き通気用瓦はそれぞれ前記棟木の延びる方向に連続し、各通気用瓦のうち最も上側の通気用瓦に連続して設けられ、各棟瓦はそれぞれ前記棟木の延びる方向に連続し、前記通気口および各水切り付き通気用瓦の水切部を覆って各水切り付き通気用瓦の上面との間に前記通気口から連通する通気経路を形成するよう各水切り付き通気用瓦の上に設けられていることを、特徴とする。
【００１６】
本発明に係る屋根構造は、各通気用瓦および各水切り付き通気用瓦が通気路を野地板の傾斜方向で連通させて野地板を覆うよう野地板の上に設けられているため、各通気用瓦および各水切り付き通気用瓦の下面と野地板との間の空間の通気性が良い。このため、結露や高湿などによる野地板の腐食を防止することができる。
【００１７】
日射により各通気用瓦および各水切り付き通気用瓦の下面と野地板との間の空気が暖められると、その空気が連通した通気路を傾斜方向に沿って上昇し、通気口および各水切り付き通気用瓦の水切部を覆っている各棟瓦の下の空間に流れる。また、日射により野地板の屋内側の空気が暖められると、野地板に棟木付近で屋内側と屋外側とを連通させる通気口を有しているため、その空気が通気口を通って屋外側に上昇し、各棟瓦の下の空間に流れる。
【００１８】
各棟瓦の下の空間に流れた空気は、各棟瓦が各水切り付き通気用瓦の上面との間に通気口から連通する通気経路を形成するよう各水切り付き通気用瓦の上に設けられているため、通気経路を通って外部に流れ出る。このように、本発明に係る屋根構造は、空気が流通して各通気用瓦および各水切り付き通気用瓦の下面と野地板との間の空間の温度上昇を抑制し、野地板の屋内側の空間の温度上昇を抑制することができる。
【発明の効果】
【００１９】
本発明によれば、野地板の腐食を防止するとともに、屋内側の空間の温度上昇を抑制することができる通気用瓦、水切り付き通気用瓦および屋根構造を提供することができる。
【発明を実施するための最良の形態】
【００２０】
以下、図面に基づき本発明の実施の形態について説明する。
図１乃至図３は、本発明の実施の形態の屋根構造を示している。
図１乃至図３に示すように、屋根構造１０は、垂木の上に棟木まで傾斜させて野地板１を張って成り、通気用瓦１１と水切り付き通気用瓦１２と通気口１３と棟瓦１４とを有している。
【００２１】
図１に示すように、通気用瓦１１は、粘土瓦から成り、断面形状が山と谷を一つずつ有する波型になるよう湾曲して形成されている。通気用瓦１１は、山や谷の連続する方向が傾斜方向と平行になるよう傾斜する野地板１の上に設けられ、下面と野地板１との間に野地板１の傾斜方向に沿って通気路１５を形成している。通気用瓦１１は、棟木の延びる方向および垂木の延びる方向に連続して複数設けられている。各通気用瓦１１は、通気路１５を野地板１の傾斜方向で連通させて野地板１を覆うよう野地板１の上に設けられている。通気用瓦１１は、鳥が侵入しないよう、軒先の通気路１５に有口の鳥侵入防止部材（図示せず）が取り付けられている。
【００２２】
図２（ａ）に示すように、水切り付き通気用瓦１２は、瓦本体１６と水切部１７とを有している。瓦本体１６は、粘土瓦から成り、断面形状が山と谷を一つずつ有する波型になるよう湾曲して形成されている。瓦本体１６は、下面と野地板１との間に野地板１の傾斜方向に沿って通気路１５を形成している。瓦本体１６は、山や谷の連続する方向が傾斜方向と平行になるよう、傾斜する野地板１の上に設けられている。
【００２３】
水切部１７は、ステンレス製で、瓦本体１６の上縁に沿って上側に、ほぼ鉛直に立ち上がるよう設けられている。水切部１７は、上縁部１７ａが瓦本体１６の側に鋭角に折り返して形成されている。なお、水切部１７は、下縁部が瓦本体１６の上縁に沿って波型を成しているため、通気路１５を遮らない。
【００２４】
水切り付き通気用瓦１２は、それぞれ棟木の延びる方向に連続し、各通気用瓦１１のうち最も上側の通気用瓦１１に連続して複数設けられている。水切り付き通気用瓦１２は、水の侵入を防止するために、最も上側の通気用瓦１１との間に耐久性のゴムなどを挟み、気密的に設けられている。
【００２５】
図３（ａ）に示すように、通気口１３は、野地板１に設けられている。通気口１３は、棟木付近で野地板１の屋内側の空間２と屋外側とを連通させるよう設けられている。
【００２６】
図３に示すように、棟瓦１４は、粘土瓦から成り、冠部１８と一対の袴部１９とを有している。冠部１８は、上に凸のほぼ半円状の円弧を長さ方向に連続した形状を成している。各袴部１９は、冠部１８の長さ方向に沿った２つの下縁に沿ってそれぞれ設けられている。各袴部１９は、冠部１８に対してそれぞれ外側下方に傾斜するよう設けられている。なお、一例では、棟瓦１４は高さが２５ｃｍ、袴部１９の幅が１０ｃｍ、冠部１８の下縁での袴部１９同士の間隔が２０ｃｍである。
【００２７】
棟瓦１４は、長さ方向を棟木の延びる方向と平行にし、それぞれ棟木の延びる方向に連続して複数設けられている。各棟瓦１４は、冠部１８が通気口１３および各水切り付き通気用瓦１２の水切部１７を覆い、各袴部１９が各水切り付き通気用瓦１２の上面との間に通気口１３から連通する通気経路２０を形成するよう、各水切り付き通気用瓦１２の上に設けられている。棟瓦１４は、番線などにより棟木に固定されている。
【００２８】
次に、作用について説明する。
屋根構造１０は、各通気用瓦１１および各水切り付き通気用瓦１２が通気路１５を野地板１の傾斜方向で連通させて野地板１を覆うよう野地板１の上に設けられているため、各通気用瓦１１および各水切り付き通気用瓦１２の下面と野地板１との間の空間の通気性が良い。このため、結露や高湿などによる野地板１の腐食を防止することができる。またこれにより、耐久性の向上を期待できる。
【００２９】
図３（ａ）の実線の矢印に示すように、日射により各通気用瓦１１および各水切り付き通気用瓦１２の下面と野地板１との間の空気が暖められると、その空気が連通した通気路１５を傾斜方向に沿って上昇し、通気口１３および各水切り付き通気用瓦１２の水切部１７を覆っている各棟瓦１４の下の空間３に流れる。また、日射により野地板１の屋内側の空間２の空気が暖められると、野地板１に棟木付近で屋内側の空間２と屋外側とを連通させる通気口１３を有しているため、その空気が通気口１３を通って屋外側に上昇し、各棟瓦１４の下の空間３に流れる。
【００３０】
図３（ａ）の破線の矢印に示すように、各棟瓦１４の下の空間３に流れた空気は、各棟瓦１４が各水切り付き通気用瓦１２の上面との間に通気口１３から連通する通気経路２０を形成するよう各水切り付き通気用瓦１２の上に設けられているため、通気経路２０を通って外部に流れ出る。このように、屋根構造１０は、空気が流通して各通気用瓦１１および各水切り付き通気用瓦１２の下面と野地板１との間の空間の温度上昇を抑制し、野地板１の屋内側の空間２の温度上昇を抑制することができる。
【００３１】
従来の棟換気は、雨の侵入を防止するため、排気口の面積を小さくしなければならず、充分な排気ができなかった。しかしながら、屋根構造１０は、水切部１７により雨の侵入を防ぐことにより、通気経路２０を大きくして充分な排気量を確保できるため、小屋裏など野地板１の屋内側の空間２の温度上昇を効果的に抑制することができる。またこれにより、野地板１の屋内側の空間２の耐久性の向上も期待できる。
【００３２】
図２（ａ）に示すように、水切り付き通気用瓦１２は、水切部１７が瓦本体１６の上縁に沿って上側に立ち上がるよう設けられているため、台風などのときに、瓦本体１６に沿って上側に吹き込む雨水を水切部１７で遮ることができる。さらに、水切部１７を伝って上昇する雨水などを瓦本体１６の側に折り返した上縁部１７ａにより遮ることができる。また、上縁部１７ａにより、ネズミなどの小動物が瓦本体１６の側から水切部１７を乗り越えて屋内に侵入することを防ぐこともできる。
【００３３】
なお、図２（ｂ）に示すように、屋根構造１０で、水切り付き通気用瓦１２は、水切部１７が棟木の両側の１対の瓦本体１６を連結し、上部に通気孔２１を有していてもよい。この場合、通気路１５を傾斜方向に沿って上昇してきた空気および通気口１３を通って上昇してきた空気が、水切部１７の上部の通気孔２１を通って上昇し、通気経路２０を通って外部に流れ出る。また、水切部１７が１対の瓦本体１６を連結しているため、棟木を中心としてその両側に容易に設置することができる。
【図面の簡単な説明】
【００３４】
【図１】本発明の実施の形態の屋根構造の通気用瓦を示す正面図である。
【図２】本発明の実施の形態の屋根構造の水切り付き通気用瓦を示す（ａ）斜視図、（ｂ）水切部の変形例を示す斜視図である。
【図３】本発明の実施の形態の屋根構造を示す（ａ）横断方向の断面端面図、（ｂ）縦断方向の断面端面図である。
【符号の説明】
【００３５】
１    野地板
１０  屋根構造
１１  通気用瓦
１２  水切り付き通気用瓦
１３  通気口
１４  棟瓦
１５  通気路
１６  瓦本体
１７  水切部
１８  冠部
１９  袴部
２０  通気経路
【図１】
2005232717.tif 000003
【図２】
2005232717.tif 000004
【図３】
2005232717.tif 000005